(57)【特許請求の範囲】
【請求項１】
一方の斜面で反射した光の一部を他方の斜面へ入射可能な対向する斜面を有する被検査物に光を照射する光源と、
前記光源から照射された光を予め定めた広がり角の拡散光に変換して前記被検査物に照射するレンズと、
前記光源から照射されて前記対向する各々の斜面で最初に反射された反射光、及び前記光源から照射されて前記被検査物の前記一方の斜面から前記他方の斜面に反射されて前記他方の斜面で更に反射された反射光の各々を受光することで被検査物を撮像する撮像部と、
を備えた表面撮像装置。
【請求項２】
前記光源から照射されて前記対向する各々の斜面で最初に反射された反射光、及び前記光源から照射されて前記被検査物の前記一方の斜面から前記他方の斜面に反射されて前記他方の斜面で更に反射された反射光の各々を前記撮像部へ導光する導光部を更に備えた請求項１に記載の表面撮像装置。
【請求項３】
前記被検査物の前記斜面は、４５度の斜面である請求項１又は請求項２に記載の表面撮像装置。
【請求項４】
前記被検査物は、エンジン吸気及び排気のバルブが当接する円環状のシート面である請求項１〜３の何れか１項に記載の表面撮像装置。
【請求項５】
ステムガイドに挿入される軸部と、前記軸部をステムガイドに挿入した状態で前記シート面と前記撮像部間の距離と同距離になるように軸部に配置され、かつ前記撮像部の撮像面側にケガキ模様が設けられた傘部と、を有する治具を用いて前記撮像部のピント合わせを行う請求項４に記載の表面撮像装置。
【請求項６】
一方の斜面で反射した光の一部を他方の斜面へ入射可能な対向する斜面を有する被検査物に対して、光源から照射された光を予め定めた広がり角の拡散光に変換して前記被検査物に照射するレンズによって前記光源から光を予め定めた拡散光に変換して照射し、
前記光源から照射されて前記対向する各々の斜面で最初に反射された反射光、及び前記光源から照射されて前記被検査物の前記一方の斜面から前記他方の斜面に反射されて前記他方の斜面で更に反射された反射光の各々を、被検査物を撮像する撮像部に受光させて前記被検査物の撮像を行う表面撮像方法。
【請求項７】
請求項１〜５の何れか１項に記載の表面撮像装置と、
前記撮像部の撮像結果に基づいて、前記被検査物の表面の欠陥を検出するための画像処理を行う画像処理部と、
を備えた表面検査装置。
【請求項８】
前記被検査物が、エンジン吸気及び排気のバルブが当接する円環状のシート面とされ、
前記画像処理部が、前記撮像部によって撮像された円環状の前記被検査物の画像を矩形状の画像に変換する変換処理、前記変換処理によって変換された画像のノイズを除去する除去処理、及び前記除去処理によってノイズが除去された画像をシェーディング補正する補正処理を行う請求項７に記載の表面検査装置。
【発明の詳細な説明】
【技術分野】
【０００１】
本発明は、エンジン吸気及び排気のバルブが当接するシート面のように対向する斜面を有する被検査物の表面を撮像する表面撮像装置、表面検査装置、及び表面撮像方法に関する。
【背景技術】
【０００２】
光を照射して、被検査物からの反射光の光量を検出し、検出した光量に基づいて検査物の面の傷や欠陥等を検出する表面検査装置が知られている。
【０００３】
例えば、特許文献１では、光源からの光ビームを光照射手段を介して被検査物の被検査面である外周面に照射し、受光手段により被検査面からの反射光を受光し、受光した反射光の光量に基づいて被検査面上に存在する欠陥を検出する装置が記載されている。具体的には、光照射手段は、中空回転軸、中空回転軸端部の中心軸上に設けた第１の平面ミラー、該中心軸から離れた位置に設けられ第１の平面ミラーと同期回転する第２の平面ミラー、及び中空回転軸と同軸に周方向に沿って配置された円錐台ミラーを備えている。そして、光源からの光ビームが、中空回転軸内を介し、第１の平面ミラーと、第２の平面ミラーと、円錐台ミラーとによって反射され、円周方向に移動しながら一定の入射角度で被検査面に照射されるように構成されている。
【先行技術文献】
【特許文献】
【０００４】
【特許文献１】特開２０１２−０３６２２３号公報
【発明の概要】
【発明が解決しようとする課題】
【０００５】
しかしながら、特許文献１では、光の照射と反射光の受光は同位置に配置した光学系により行うため、検査面からの反射光を受光して鮮明な画像を得るためには、検査面に対する検査光学系の位置決めを精度良く行う必要があり、改善の余地がある。また、この位置決め精度を実現及び維持していくためのアクチュエータを用いる場合にはコストがかかってしまうと共に、位置決めを精度良く行うためにアクチュエータの移動速度も低く抑える必要があるため検査に要する時間が増大する欠点がある。
【０００６】
本発明は、上記事実を考慮して成されたもので、被検査物の表面が他の部分に比べて鮮明な撮像画像を得ることを目的とする。
【課題を解決するための手段】
【０００７】
上記目的を達成するために本発明に係る表面撮像装置は、一方の斜面で反射した光の一部を他方の斜面へ入射可能な対向する斜面を有する被検査物に光を照射する光源と、前記光源から照射された光を予め定めた広がり角の拡散光に変換して前記被検査物に照射するレンズと、前記光源から照射されて前記対向する各々の斜面で最初に反射された反射光、及び前記光源から照射されて前記被検査物の前記一方の斜面から前記他方の斜面に反射されて前記他方の斜面で更に反射された反射光の各々を受光することで被検査物を撮像する撮像部と、を備えている。
【０００８】
また、本発明に係る表面撮像方法は、一方の斜面で反射した光の一部を他方の斜面へ入射可能な対向する斜面を有する被検査物に対して、光源から照射された光を予め定めた広がり角の拡散光に変換して前記被検査物に照射するレンズによって前記光源から光を予め定めた拡散光に変換して照射し、前記光源から照射されて前記対向する各々の斜面で最初に反射された反射光、及び前記光源から照射されて前記被検査物の前記一方の斜面から前記他方の斜面に反射されて前記他方の斜面で更に反射された反射光の各々を、被検査物を撮像する撮像部に受光させて前記被検査物の撮像を行う。
【０００９】
本発明によれば、一方の斜面で反射した光の一部を他方の斜面へ入射可能な対向する斜面を有する被検査物に光源によって光が照射される。
【００１０】
そして、撮像部では、光源から照射されて対向する各々の斜面で最初に反射された反射光、及び光源から照射されて一方の斜面から他方の斜面に反射されて他方の斜面で更に反射された反射光の各々を受光することで被検査物が撮像される。これにより、被検査物の斜面の表面が他の部分に比べて鮮明な撮像画像を得ることができる。
【００１１】
なお、光源から照射されて対向する各々の斜面で最初に反射された反射光、及び光源から照射されて被検査物の一方の斜面から他方の斜面に反射されて他方の斜面で更に反射された反射光の各々を撮像部へ導光する導光部を更に備えてもよい。
【００１２】
また、光源から照射された光を予め定めた広がり角の拡散角の光に変換して被検査物に照射するレンズを備えて、拡散光を被検査物に照射することで、より鮮明な撮像画像を得ることができる。
【００１３】
また、被検査物の斜面は、４５度の斜面を適用することにより、被検査物の一方の斜面で反射した光を他方の斜面へ確実に反射させることができるので、鮮明な撮像画像を得ることができる。
【００１４】
また、被検査物は、エンジン吸気及び排気のバルブが当接する円環状のシート面を適用することができる。
【００１５】
また、ステムガイドに挿入される軸部と、軸部をステムガイドに挿入した状態でシート面と撮像部間の距離と同距離になるように軸部に配置され、かつ撮像部の撮像面側にケガキ模様が設けられた傘部と、を有する治具を用いて撮像部のピント合わせを行うことにより、撮像部のピント合わせを容易に行うことができる。
【００１７】
上記目的を達成するために本発明に係る表面検査装置は、上記の表面撮像装置と、前記撮像部の撮像結果に基づいて、前記被検査物の表面の欠陥を検出するための画像処理を行う画像処理部と、を備えている。
【００１８】
本発明によれば、上記の表面撮像装置の撮像部の撮像結果に基づいて、被検査物の表面の欠陥を検出するための画像処理が画像処理部によって行われる。すなわち、他の部分よりも鮮明な撮像画像を用いて画像処理部によって画像処理を行うことで、被検査物の表面の欠陥を確実に検出することができる。
【００１９】
なお、被検査物が、エンジン吸気及び排気のバルブが当接する円環状のシート面とされ、画像処理部が、撮像部によって撮像された円環状の被検査物の画像を矩形状の画像に変換する変換処理、変換処理によって変換された画像のノイズを除去する除去処理、及び除去処理によってノイズが除去された画像をシェーディング補正する補正処理を行ってもよい。このように、円環状の画像を矩形状の画像に変換することで、切削痕をノイズとして除去することが可能となるとと共に、画像処理の対象を絞ることが可能となる。
【発明の効果】
【００２０】
以上説明したように本発明によれば、被検査物の表面が他の部分に比べて鮮明な撮像画像を得ることができる、という効果がある。
【図面の簡単な説明】
【００２１】
【図１】本実施形態に係る表面撮像装置を含む表面検査装置の概略構成を示す図である。
【図２】（Ａ）は光源からの光が対向する２つのシート面で各々反射される様子を示す側面図であり、（Ｂ）は平行光がシート面に入射された場合の反射の様子を示す図であり、（Ｃ）は広角の光がシート面に入射された場合の反射の様子を示す図である。
【図３】（Ａ）はバルブシート面撮像用治具の一例を示す斜視図であり、（Ｂ）はエンジンシリンダヘッドにバルブシート面撮像用治具を挿入した様子を示す斜視図である。
【図４】（Ａ）はバルブシート面撮像用治具をステムガイドに挿入する様子を示す図であり、（Ｂ）はバルブシート面撮像用治具をステムガイドに挿入完了した状態を示す図である。
【図５】本実施形態に係る表面検査装置の制御部の概略構成を示すブロック図である。
【図６】（Ａ）はシート面のピンホールの撮像画像の一例を示し、（Ｂ）は（Ａ）の拡大図であり、（Ｃ）はシート面のクラックの撮像画像の一例を示し、（Ｄ）は（Ｃ）の拡大図である。
【図７】本実施形態に係る表面検査装置の制御部で行われる処理の流れの一例を示すフローチャートである。
【図８】（Ａ）は光源からの光が対向する２つのシート面で各々反射されてシート面の輝度が明るくなる様子を説明するための側面図であり、（Ｂ）は正反射を示す側面図であり、（Ｃ）は粗面（滑）の場合の拡散反射を示す側面図であり、（Ｄ）は粗面（粗）の場合の拡散反射を示す側面図であり、（Ｅ）はシート面が粗面（滑）の場合に拡散反射される様子を示す側面図であり、（Ｆ）はシート面が粗面（粗）の場合に拡散反射される様子を示す側面図であり、（Ｇ）はシート面が粗面（滑）の場合の欠陥部の輝度を示す図であり、（Ｈ）はシート面が粗面（粗）の場合の欠陥部の輝度を示す図である。
【図９】（Ａ）はシート面の撮像画像の例を示し、（Ｂ）はシート面の画像を矩形状に変換した例を示し、（Ｃ）は（Ｂ）の矩形の領域の拡大図であり、（Ｄ）は移動平均フィルタによりノイズ除去を行った撮像画像の例を示し、（Ｅ）はシェーディング画像の例を示し、（Ｆ）は元画像からシェーディング画像を差分した画像の例を示す図である。
【図１０】（Ａ）はシェーディング補正された画像を円環状の画像に変換した例を示し、（Ｂ）は欠陥部分の拡大図である。
【図１１】（Ａ）シート面の斜面が３０度でシート面からの反射光を直接撮像する場合のカメラと光源の配置を示し、（Ｂ）はシート面の斜面が３０度でシート面からの反射光を直接撮像する場合のカメラ、光源、及びハーフミラーの配置を示し、（Ｃ）はカメラをシート面に近接させる必要がある様子を示す図である。
【図１２】本実施形態の被検査物のシート面として（Ａ）はシート面の角度が６０度の場合を示し、（Ｂ）はシート面２２の角度が５０度の場合を示し、（Ｃ）はシート面２２の角度が４５度の場合を示す図である。
【図１３】カメラが中心となるように配置したリング状の光源を適用して対向する各々のシート面からの反射光、及び一方のシート面から他方のシート面に反射して更に他方のシート面で反射した反射光の各々の反射光をカメラで撮像する構成を示す図である。
【図１４】円錐ミラーをシート面に対向するように更に配置した例を示す図である。
【図１５】シェーディング補正を差分で行った場合と、除算で行った場合を説明するための図である。
【発明を実施するための形態】
【００２２】
以下、図面を参照して本発明の実施の形態の一例を詳細に説明する。図１は、本実施形態に係る表面撮像装置を含む表面検査装置の概略構成を示す図である。なお、本実施形態では、エンジン吸気及び排気のバルブ（以下、単にバルブという。）が挿入されるエンジンシリンダヘッドに設けられたバルブが当接するシート面を被検査物とした例を説明する。また、シート面２２は、円錐状とされ、対向する斜面を有する形状の一例として説明する。
【００２３】
表面検査装置１０は、撮像部としてのカメラ１２、光源１４、レンズ１６、及び導光部としてのハーフミラー１８を有する表面撮像装置２０と、該表面撮像装置２０を制御する制御部２４とを備えている。
【００２４】
カメラ１２は、エンジン吸気及び排気のバルブが当接するシート面２２を被検査物として撮像する。シート面２２は、一方から他方に向かって径が徐々に小さくなる円錐状に形成された面とされており、カメラ１２は、シート面２２の一方側から撮像するようになっている。また、カメラ１２は、必要に応じて集光するレンズを撮像面側に設けてもよい。
【００２５】
なお、本実施形態では、被検査物としてのシート面２２は、バルブの移動方向と直交する面に対して４５度の斜面を有する例を一例として説明する。また、以下の説明では、バルブの移動方向を垂直方向、バルブの移動方向と直交する面を水平面として説明する。
【００２６】
カメラ１２とシート面２２との間には、ハーフミラー１８が設けられ、図１に示すように、光源１４から照射された光が、レンズ１６を介してハーフミラー１８に照射され、ハーフミラー１８によって反射されて被検査物のシート面２２に光が照射される。このとき、レンズ１６は、シート面２２に対して予め定めた広がり角の照射角度を持った拡散光を照射するように光を集光する。
【００２７】
光源１４からシート面２２に照射された光は、シート面２２で垂直方向に反射されてハーフミラー１８を介してカメラ１２に入射されることにより、カメラ１２でシート面を撮像する。
【００２８】
本実施形態では、光源１４から光を照射することにより、レンズ１６によって拡散光とされた光がハーフミラー１８によって反射されてシート面２２に照射される。また、シート面２２に照射された光は、レンズ１６によって拡散光とされているため、各方向に反射され、一部はハーフミラー１８の方向へ反射されてハーフミラー１８を介してカメラ１２に直接入射される。また、本実施形態では、シート面２２が４５度の斜面とされているので、一部は、図２（Ａ）に示すように、水平方向へ反射されて対向するシート面２２へ入射され、対向するシート面２２で更に垂直方向に反射されてハーフミラー１８を介してカメラ１２に入射される。すなわち、カメラ１２は、対向するシート面２２の各々の斜面で最初に反射された反射光、及び対向する一方のシート面２２から他方のシート面２２に反射されて他方のシート面２２で更に反射された反射光の各々の反射光を受光することで被検査物を撮像する。
【００２９】
また、本実施形態では、拡散光がシート面２２に入射されることにより、図２（Ｂ）に示すように、平行光がシート面２２に入射される場合に比べて、図２（Ｃ）に示すように、被検査物の表面の微小な凹凸がキャンセルされて凹凸の影響（ノイズ）を低減することが可能となる。
【００３０】
ここで、本実施形態に係る表面検査装置１０によってシート面の表面を撮像する際に用いるバルブシート面撮像用治具について説明する。図３（Ａ）はバルブシート面撮像用治具の一例を示す斜視図であり、図３（Ｂ）はエンジンシリンダヘッドにバルブシート面撮像用治具を挿入した様子を示す斜視図である。また、図４（Ａ）はバルブシート面撮像用治具３０をステムガイド３８に挿入する様子を示す図であり、図４（Ｂ）はバルブシート面撮像用治具をステムガイド３８に挿入完了した状態を示す図である。
【００３１】
バルブシート面撮像用治具３０は、バルブが挿入されるステムガイド３８に挿入して、表面撮像装置２０のピント合わせや、カメラ１２のパラメータ設定等に使用される。
【００３２】
バルブシート面撮像用治具３０は、バルブに類似する形状とされ、傘部３２及び軸部３４を有している。傘部３２は、撮像面側が黒等の光の反射を抑制する塗装等が施されている。また、傘部３２の撮像面側には、ケガキ模様が設けられている。ケガキ模様としては、例えば、図３（Ａ）、（Ｂ）に示すように、格子状のケガキ模様を適用することができ、ケガキ模様のカメラ１２の撮像結果を用いてピント合わせが可能とされている。なお、ケガキ模様は格子状に限るものではなく、他の形状のケガキ模様を適用してもよい。
【００３３】
また、傘部３２は、シート面２２の直径よりも小さい径とされ、カメラ１２の撮像時にシート面２２全面が撮像可能な大きさとされている。
【００３４】
軸部３４は、段差部３６が設けられており、傘部３２に近い方の径が太く、傘部３２から遠い方の径が細い、異なる径の軸を有する。本実施形態では、バルブシート面撮像用治具３０をステムガイド３８に挿入したときに、段差部３６がステムガイド３８の端部（ステムシールが打ち込まれるエンジンシリンダヘッドに加工された円ボスの端部）４０に当接するようになっている。また、軸部３４の段差部３６がステムガイド３８の端部４０に当接した状態で、傘部３２の撮像面側とシート面２２の中央位置（図４（Ｂ）の一点鎖線）との高さが一致するようになっている。すなわち、バルブシート面撮像用治具３０は、軸部３４をステムガイド３８に挿入して段差部３６がステムガイド３８の端部４０に当接した状態で、傘部３２の撮像面側とカメラ１２間の距離と、シート面２２の中心位置とカメラ１２間の距離とが同距離になる。これにより、傘部３２に設けられたケガキ模様を用いてピントを合わせることでシート面２２にピントを容易に合わせることが可能とされている。
【００３５】
なお、本実施形態では、バルブシート面撮像用治具３０をステムガイド３８に挿入したときに、段差部３６がステムガイド３８の端部４０に当接して、傘部３２の撮像面側とシート面２２の中央位置との高さを一致させる構成としたが、これに限るものではない。例えば、傘部３２がシート面２２の中央位置に当接する直径に設定して、傘部３２とシート面２２を当接することで、段差部３６を設けることなく、傘部３２の撮像面側とシート面２２の中央位置との高さを一致させてもよい。
【００３６】
続いて、制御部２４について説明する。図５は、本実施形態に係る表面検査装置１０の制御部の概略構成を示すブロック図である。
【００３７】
制御部２４は、図５に示すように、ＣＰＵ２４Ａ、ＲＯＭ２４Ｂ、ＲＡＭ２４Ｃ、及びＩ／Ｏ（入出力インターフェース）２４Ｄがバス２４Ｅに接続されたコンピュータで構成されている。
【００３８】
Ｉ／Ｏ２４Ｄには、カメラ１２及び光源１４が接続されており、制御部２４の制御により光源１４が発光され、カメラ１２の撮像を行うと共に、カメラ１２の撮像結果を用いてシート面２２の表面の欠陥を検出する。シート面の欠陥の検出は、カメラ１２の撮像画像に対して各種画像処理を行うことにより、シート面２２の欠陥を検出する。
【００３９】
ＲＯＭ２４Ｂには、シート面２２を撮像して撮像結果に基づいてシート面の表面の欠陥を検出するためのプログラムが記憶されている。すなわち、ＣＰＵ２４ＡがＲＯＭ２４Ｂに記憶されたプログラムをＲＡＭ２４Ｃに展開して実行することにより、シート面２２の表面欠陥検出処理が行われる。本実施形態では、シート面２２の表面欠陥検出処理を行うことにより、図６（Ａ）、（Ｂ）に示すようなピンホールや、図６（Ｃ）、（Ｄ）に示すようなクラックを検出する。なお、図６（Ａ）はシート面２２のピンホールの撮像画像の一例を示し、図６（Ｂ）は（Ａ）の拡大図である。また、図６（Ｃ）はシート面２２のクラックの撮像画像の一例を示し、図６（Ｄ）は（Ｃ）の拡大図である。
【００４０】
次に、制御部２４のＲＯＭ２４Ｂに記憶されたプログラムをＣＰＵ２４Ａが実行することにより行われるシート面２２の表面欠陥検出処理の具体例について説明する。図７は、本実施形態に係る表面検査装置１０の制御部２４で行われる処理の流れの一例を示すフローチャートである。
【００４１】
ステップ１００では、制御部２４が光源１４及びカメラ１２を制御してシート面２２の撮像を行ってステップ１０２へ移行する。すなわち、光源１４から光を照射することにより、レンズ１６によって拡散光とされた光がハーフミラー１８によって反射されてシート面２２に照射される。また、シート面２２に照射された光は、レンズ１６によって拡散光とされているため、図１及び図８（Ａ）に示すように、各方向に反射され、一部はハーフミラー１８の方向へ反射されてハーフミラー１８を介してカメラ１２に直接入射される。厳密には、図８（Ｂ）に示すような鏡面ではないため、図８（Ｃ）、（Ｄ）に示すような細かい凹凸があるため、図８（Ｅ）、（Ｆ）に示すように、シート面２２で拡散反射し、拡散反射により、シート面２２の直接反射光もカメラ１２に直接入射される。また、本実施形態では、シート面２２が４５度の斜面とされているので、図１及び図８（Ａ）に示すように、他の一部は、水平方向へ反射されて対向するシート面２２へ入射され、対向するシート面２２で更に垂直方向に反射されてハーフミラー１８を介してカメラ１２に入射される。これにより、図９（Ａ）に示すようなシート面２２の撮像画像を取得することができる。取得した画像は、シート面２２で直接反射した反射光に加えて、シート面２２を２回反射した光を含むため、シート面２２が他の部分に比べて輝度が高く鮮明な画像となり、欠陥を検出し易くなる。すなわち、シート面２２の傷等の欠陥部分については、図８（Ｅ）の粗面（滑）や図８（Ｆ）の粗面（粗）に示すように、拡散反射成分が多くなり、図８（Ｇ）、（Ｈ）に示すように、画像輝度が低下して欠陥の検出が容易になる。
【００４２】
ステップ１０２では、制御部２４が、撮像画像を画像変換してステップ１０４へ移行する。画像変換は、円環状のシート面２２の画像を矩形状の画像に変換する。例えば、図９（Ａ）のシート面２２の画像を矩形状に変換した例を図９（Ｂ）に示す。シート面２２の加工時の切削痕は、シート面の円周に沿った方向に発生するが、シート面２２の画像を矩形状にすることにより、切削痕を直線に変換してノイズとして除去し易くすることができる。また、矩形状にすることにより、以降の画像処理の対象部分を絞ることができる。
【００４３】
ステップ１０４では、制御部２４が、変換した画像に対してノイズ除去を行ってステップ１０６へ移行する。ノイズ除去は、例えば、縦長の１×５移動平均フィルタ（シート面２２の円周方向に対して直交する方向に長い移動平均フィルタ）を用いて切削痕による影響をノイズとして除去する。図９（Ｃ）（図９（Ｂ）の矩形の領域の拡大図）に示す画像変換後の画像に対して移動平均フィルタによりノイズ除去を行うことにより、図９（Ｄ）に示す画像を得ることができる。なお、ノイズ除去を行う画像処理は周知の技術を適用可能で、移動平均フィルタ以外の画像処理によってノイズを除去してもよい。
【００４４】
ステップ１０６では、制御部２４が、ノイズ除去を行った画像に対してシェーディング補正を行ってステップ１０８へ移行する。これにより、シート面２２の円周方向の輝度ムラが補正される。例えば、２１１×９（超横長）メジアンフィルタ（シート面２２の円周方向に長いメジアンフィルタ）を用いてシェーディング補正を行う。図９（Ｄ）の画像に対してメジアンフィルタを用いた処理を行うことで図９（Ｅ）に示すシェーディング画像を作成し、元画像（図９（Ｄ））からシェーディング画像（図９（Ｅ））を差分により取り除くことで、図９（Ｆ）に示す画像を得ることができる。これにより、ピンホールやクラック等の欠陥部分を画像上で鮮明にすることが可能となる。なお、シェーディング補正は周知の技術を適用可能で、メジアンフィルタを用いる画像処理ではなく、他のフィルタ等を用いた画像処理を適用してもよい。
【００４５】
ステップ１０８では、制御部２４が、シェーディング補正された画像を画像変換してステップ１１０へ移行する。画像変換は、矩形状の画像を元の円環状のシート面２２の画像に変換する。図１０（Ａ）に円環状の画像に変換した例を示す。また、図１０（Ｂ）は、欠陥部分の拡大図を示す。なお、ステップ１０８は、視覚的に欠陥を発見し易いように実施している処理であり、省略してもよい。
【００４６】
ステップ１１０では、制御部２４が上述のように各種画像処理を行った画像を用いて欠陥領域の計測を行って一連の処理を終了する。欠陥領域の計測は、例えば、画像情報の画素値に対する予め定めた閾値を用いて欠陥領域の有無や大きさ等を判定し、欠陥があるか否かを検出する。なお、本実施形態では、シート面の対向する面で反射させて撮像するため、欠陥が大きい場合には対向するシート面２２の双方に欠陥が写り込んだ画像となることがあり得るが、欠陥として確実に検出することができるので、表面検査装置としては問題なく機能する。
【００４７】
ところで、本実施形態では、シート面２２が、バルブ移動方向と直交する面（水平面）に対して４５度の斜面の例を説明したが、斜面が緩やかな場合には、対向するシート面２２で反射せずに正反射の光のみを撮像してシート面２２全面を観察する配置があり得る。
【００４８】
例えば、図１１（Ａ）に示すように、シート面２２の斜面が３０度の場合には、バルブ挿入穴の中心軸上にカメラ１２及び光源１４を設けて、光源１４から照射された光をシート面２２で正反射させてカメラ１２に入射することが可能となる。また、図１１（Ｂ）に示すように、カメラ１２、ハーフミラー１８、及び光源１４を用いる場合も光源１４から照射された光をハーフミラー１８で反射させてシート面２２に照射し、シート面２２で正反射した光をカメラ１２に入射することが可能となる。しかしながら、シート面２２の角度が本実施形態の４５度のように大きくなると、図１１（Ｃ）に示すように、カメラ１２をシート面２２に近接させる必要があり、物理的に配置が厳しくなってしまう。また、ハーフミラー１８等のビームスプリッタを配置するスペースもなくなってしまう。なお、図１１（Ａ）、（Ｃ）のカメラ１２と光源１４の位置は逆でもよいが、撮像画像内に光源１４の配線や補治具等が写り込み、シート面２２の円環状の一部が欠けた画像になってしまうので、好ましくない。
【００４９】
これに対して、本実施形態では、シート面２２へ拡散光を入射することで、シート面が４５度に限定されることなく、対向するシート面２２で反射した光をカメラ１２で撮像することで、シート面２２を他の部分よりも鮮明に撮像することが可能となる。
【００５０】
また、本実施形態において、シート面の角度が４５度以上場合、対向するシート面２２での反射を利用すると、よりきつい角度のシート面２２でもシート面２２全周を一度に撮像する配置が可能となる。例えば、図１２（Ａ）はシート面２２の角度が６０度の場合を示し、図１２（Ｂ）はシート面２２の角度が５０度の場合を示し、図１２（Ｃ）はシート面２２の角度が４５度の場合を示す。これらの場合は、入射する光とカメラ１２への反射光が対称の関係になるので、ハーフミラー１８等のビームスプリッタが必要となる。但し、反射面での拡散を利用することでビームスプリッタを省略することも可能である。カメラ１２と光源１４は、シート面２２の角度が４５度に近いとシート面２２から離れた位置に配置できるが、シート面２２の角度がきつくなるとシート面２２に近接して配置する必要があり、物理的に成り立たなくなってくる。すなわち、本実施形態のように、シート面２２が４５度の場合は、正反射光のみを考えると、カメラ１２と光源１４を無限遠に配置する必要がある。しかし現実には、反射面が完全な鏡面でなければ、反射光は正反射の方向にピークを持ちつつもある程度の散乱光成分を含むので、この散乱光のうち都合のよい方向のものを利用することで、シート面２２の観察が可能となる。
【００５１】
なお、上記の実施形態では、被検査物としてエンジンシリンダヘッドに設けられたシート面２２を一例として挙げて説明したが、被検査物はこれに限るものではない。被検査物としては、対向する面が斜面とされて一方の斜面で反射した光が他方の斜面へ入射可能な斜面を有するものであればよい。
【００５２】
また、上記の実施形態において、カメラ１２の位置と光源１４の位置とは逆の位置を適用しても上記の実施形態と同様の作用を得ることができる。
【００５３】
また、上記の実施形態では、ハーフミラー１８を備えた構成としたが、これに限るものではない。例えば、ハーフミラー１８の代わりにビームスプリッタを適用してもよい。或いは、ハーフミラー１８を省略して、図１３に示すように、カメラ１２が中心となるように配置したリング状の光源１４を適用して対向する各々のシート面２２から最初に反射された反射光、及び一方のシート面２２から他方のシート面２２に反射して更に他方のシート面２２で反射した反射光の各々をカメラ１２で撮像する構成としてもよい。
【００５４】
また、上記の実施形態では、光源１４から照射される光をレンズ１６によって予め定めた広がり角の拡散光に変換して被検査物へ照射するようにしたが、これに限るものではない。拡散光に比べて画像の鮮明性が劣るが、例えば、平行光の光を被検査物に照射してシート面２２を撮像してもよい。或いは、図１４に示すように、円錐ミラー５０を更に設けてもよい。図１４では、円錐ミラー５０がシート面２２に対向するように配置して、光源１４からの光をシート面２２に一様に照射するようになっている。これにより、光源１４からの光がシート面２２で直接反射された反射光と、シート面２２及び円錐ミラー５０によって２回反射された反射光とがカメラ１２に入射される。このように構成しても上記の実施形態と同様に、シート面２２の撮影画像が他の部分より鮮明となる。
【００５５】
また、上記の実施形態では、ステップ１０６においてシェーディング補正を行う際に、元画像からシェーディング画像を差分したが、差分ではなく、元画像をシェーディング画像で除算してもよい。例えば、図１５（Ａ）に示すように、素地に対して欠陥及びしみがある場合、周囲の明るさによって輝度が変化し、図１５（Ｂ）に示すようになる。上記の実施形態のようにシェーディング補正を差分で行うと、欠陥やしみの暗さが周囲の明るさにより変動するため、単一の閾値で欠陥やしみを区別することができない。例えば、撮像された明るさの比が、図１５（Ｂ）に示すように、素地：しみ：欠陥＝５：３：１であるとすると、シェーディング補正を差分で行うと、図１５（Ｃ）のように周囲の明るさによって欠陥やしみの明るさが変動する。一方、除算で行う場合には、図１５（Ｄ）に示すように、欠陥やしみの暗さが周囲の明るさによらず一定になるので、単一の閾値で欠陥やしみを区別できるようになる。
【００５６】
また、上記の各実施形態における制御部２４で行われる図７の処理は、コンピュータがプログラムを実行することにより行われるソフトウエア処理として説明したが、ハードウエアで行う処理としてもよい。或いは、ソフトウエア及びハードウエアの双方を組み合わせた処理としてもよい。また、ソフトウエアで行う処理とする場合のプログラムは、各種記憶媒体に記憶して流通させるようにしてもよい。
【００５７】
さらに、本発明は、上記に限定されるものでなく、上記以外にも、その主旨を逸脱しない範囲内において種々変形して実施可能であることは勿論である。
【符号の説明】
【００５８】
１０    表面検査装置
１２    カメラ
１４    光源
１６    レンズ
１８    ハーフミラー
２０    表面撮像装置
２２    シート面
３０    バルブシート面撮像用治具
３２    傘部
３４    軸部
３６    段差部
４０    端部
【図１】
0006402082.tif 000002
【図２】
0006402082.tif 000003
【図３】
0006402082.tif 000004
【図４】
0006402082.tif 000005
【図５】
0006402082.tif 000006
【図６】
0006402082.tif 000007
【図７】
0006402082.tif 000008
【図８】
0006402082.tif 000009
【図９】
0006402082.tif 000010
【図１０】
0006402082.tif 000011
【図１１】
0006402082.tif 000012
【図１２】
0006402082.tif 000013
【図１３】
0006402082.tif 000014
【図１４】
0006402082.tif 000015
【図１５】
0006402082.tif 000016